(57)【要約】      （修正有）【課題】宅内の情報処理装置で録画されたコンテンツを屋外の外部機器から再生する際、ユーザへの利便性を向上させることができる情報処理装置、情報処理方法およびプログラムを提供する。【解決手段】情報処理装置は、受信部と送信部とを備え、受信部は、複数のコンテンツのうち第１コンテンツに対する所定の処理の実行を指示する指示信号を外部機器から受信する。送信部は、所定のネットワークセグメント外の第１の外部機器からの指示信号に応じて第１コンテンツに対する所定の処理を実行している際に第２の外部機器からアクセスを受けた場合、第２の外部機器が所定のネットワークセグメント外の外部機器ならば第２の外部機器からのアクセスに応じた第１コンテンツへの所定の処理の実行の制限を識別可能とする所定の情報を第２の外部機器に送信し、第２の外部機器が所定のネットワークセグメント内の外部機器ならば所定の情報を送信しない。【選択図】図２
2016032215.tif 000002
【特許請求の範囲】
【請求項１】
複数のコンテンツのうち第１コンテンツに対する所定の処理の実行を指示する指示信号を、ネットワークを介して接続された外部機器から受信する受信部と、
所定のネットワークセグメント外の第１の外部機器からの前記指示信号に応じて前記第１コンテンツに対する前記所定の処理を実行している際に第２の外部機器からアクセスを受けた場合、前記第２の外部機器が前記所定のネットワークセグメント外の外部機器ならば前記第２の外部機器からのアクセスに応じた前記第１コンテンツへの前記所定の処理の実行の制限を識別可能とする所定の情報を前記第２の外部機器に送信し、前記第２の外部機器が前記所定のネットワークセグメント内の外部機器ならば前記所定の情報を送信しない送信部と、
を備えた情報処理装置。
【請求項２】
前記所定の情報は、前記複数のコンテンツのリストと、前記複数のコンテンツのうち前記第１コンテンツに対する前記所定の処理の実行を示す情報と、を含む請求項１に記載の情報処理装置。
【請求項３】
前記送信部は、
前記第１の外部機器からの前記指示信号に応じて前記第１コンテンツに対する前記所定の処理を実行している際に前記所定のネットワークセグメント内の前記第２の外部機器からアクセスを受けた場合、前記第１コンテンツに対する処理の制限である第１制限を識別可能とする第１情報を前記第２の外部機器に送信し、
前記第１の外部機器からの前記指示信号に応じて前記第１コンテンツに対する前記所定の処理を実行している際に前記所定のネットワークセグメント外の前記第２の外部機器からアクセスを受けた場合、前記第１制限とは異なりかつ前記第１コンテンツに対する処理の制限である第２制限を識別可能とする第２情報を前記第２の外部機器に送信する請求項１に記載の情報処理装置。
【請求項４】
前記第１情報は、前記複数のコンテンツのリストと、前記第１制限を示す情報と、を含む請求項３に記載の情報処理装置。
【請求項５】
前記リストの表示を指示する表示指示信号が入力され、かつ前記第１の外部機器からの前記指示信号に応じて前記第１コンテンツに対する前記所定の処理を実行している場合、前記第１情報を表示部に表示させる表示制御部を備えた請求項３または４に記載の情報処理装置。
【請求項６】
前記指示信号は、前記第１の外部機器における前記第１コンテンツの再生を指示し、
前記第１情報および前記第２情報は、前記第１コンテンツ全体の再生に要する再生時間情報、前記第１コンテンツの前記第１の外部機器において再生されている部分を示す再生部分情報、前記指示信号に応じて前記第１コンテンツの再生が開始されてからの経過時間情報、前記第１の外部機器を識別可能とする機器情報、および前記第１の外部機器のユーザを識別可能とするユーザ情報のうち少なくともいずれか一つを含む請求項３から５のいずれか一に記載の情報処理装置。
【請求項７】
前記受信部は、前記第１の外部機器から、所定時間毎に、前記第１コンテンツの前記第１の外部機器において再生されている部分を示す第３情報を受信し、
前記再生部分情報は、前記受信部によって最後に受信した前記第３情報である請求項６に記載の情報処理装置。
【請求項８】
複数のコンテンツのうち第１コンテンツに対する所定の処理の実行を指示する指示信号を、ネットワークを介して接続された外部機器から受信し、
所定のネットワークセグメント外の第１の外部機器からの前記指示信号に応じて前記第１コンテンツに対する前記所定の処理を実行している際に第２の外部機器からアクセスを受けた場合、前記第２の外部機器が前記所定のネットワークセグメント外の外部機器ならば前記第２の外部機器からのアクセスに応じた前記第１コンテンツへの前記所定の処理の実行の制限を識別可能とする所定の情報を前記第２の外部機器に送信し、前記第２の外部機器が前記所定のネットワークセグメント内の外部機器ならば前記所定の情報を送信しない、
ことを含む情報処理方法。
【請求項９】
前記所定の情報は、前記複数のコンテンツのリストと、前記複数のコンテンツのうち前記第１コンテンツに対する前記所定の処理の実行を示す情報と、を含む請求項８に記載の情報処理方法。
【請求項１０】
前記第１の外部機器からの前記指示信号に応じて前記第１コンテンツに対する処理を実行している際に前記所定のネットワークセグメント内の前記第２の外部機器からアクセスを受けた場合、前記第１コンテンツに対する処理の制限である第１制限を識別可能とする第１情報を前記第２の外部機器に送信し、
前記第１の外部機器からの前記指示信号に応じて前記第１コンテンツに対する前記所定の処理を実行している際に前記所定のネットワークセグメント外の前記第２の外部機器からアクセスを受けた場合、前記第１制限とは異なりかつ前記第１コンテンツに対する処理の制限である第２制限を識別可能とする第２情報を前記第２の外部機器に送信する、
ことを含む請求項８に記載の情報処理方法。
【請求項１１】
前記第１情報は、前記複数のコンテンツのリストと、前記第１制限を示す情報と、を含む請求項１０に記載の情報処理方法。
【請求項１２】
前記リストの表示を指示する信号が入力され、かつ前記第１の外部機器からの前記指示信号に応じて前記第１コンテンツに対する前記所定の処理を実行している場合、前記第１情報を表示部に表示させることを含む請求項１０または１１に記載の情報処理方法。
【請求項１３】
前記指示信号は、前記第１の外部機器における前記第１コンテンツの再生を指示し、
前記第１情報および前記第２情報は、前記第１コンテンツ全体の再生に要する再生時間情報、前記第１コンテンツの前記第１の外部機器において再生されている部分を示す再生部分情報、前記指示信号に応じて前記第１コンテンツの再生が開始されてからの経過時間情報、前記第１の外部機器を識別可能とする機器情報、および前記第１の外部機器のユーザを識別可能とするユーザ情報のうち少なくともいずれか一つを含む請求項１０から１２のいずれか一に記載の情報処理方法。
【請求項１４】
前記第１の外部機器から、所定時間毎に、前記第１コンテンツの前記第１の外部機器において再生されている部分を示す第３情報を受信し、
前記再生部分情報は、前記受信部によって最後に受信した前記第３情報である請求項１３に記載の情報処理方法。
【請求項１５】
コンピュータを、
複数のコンテンツのうち第１コンテンツに対する所定の処理の実行を指示する指示信号を、ネットワークを介して接続された外部機器から受信する受信部と、
所定のネットワークセグメント外の第１の外部機器からの前記指示信号に応じて前記第１コンテンツに対する前記所定の処理を実行している際に第２の外部機器からアクセスを受けた場合、前記第２の外部機器が前記所定のネットワークセグメント外の外部機器ならば前記第２の外部機器からのアクセスに応じた前記第１コンテンツへの前記所定の処理の実行の制限を識別可能とする所定の情報を前記第２の外部機器に送信し、前記第２の外部機器が前記所定のネットワークセグメント内の外部機器ならば前記所定の情報を送信しない送信部と、
として機能させるためのプログラム。
【発明の詳細な説明】
【技術分野】
【０００１】
本発明の実施形態は、情報処理装置、情報処理方法およびプログラムに関する。
【背景技術】
【０００２】
インターネット網の発展、高性能なモバイル機器等の外部機器の普及、レコーダ等の情報処理装置の価格の低廉化によって、宅内に設置されたレコーダでの動画コンテンツ等のコンテンツの大量録画とその再生等の処理、屋外でのモバイル機器によるインターネットサービスを用いたコンテンツの再生等の処理が一般化されてきている。
【先行技術文献】
【特許文献】
【０００３】
【特許文献１】特開２００６−３３２７７１号公報
【特許文献２】特開２０１３−９８９９６号公報
【発明の概要】
【発明が解決しようとする課題】
【０００４】
ところで、テレビ番組のような著作権を有するコンテンツの再生については、所定のアクセス制御ルールの下で運用されている。今後、宅内のレコーダで録画されたコンテンツを屋外のモバイル機器で再生するユースケースの実現が考えられる。宅内のレコーダで録画されたコンテンツを屋外のモバイル機器で再生する場合、コンテンツに対する一部の処理が制限されるが、屋外のモバイル機器においてコンテンツを再生するための操作は、インターネット網を経由して行われるため、他のモバイル機器のユーザは、屋外のモバイル機器からコンテンツに対してどのような処理が制限されるのかを知ることができない。
【０００５】
本発明は、上記に鑑みてなされたものであって、宅内の情報処理装置で録画されたコンテンツに対して、屋外の外部機器からの指示に応じて再生等の処理を実行するユースケースにおいて、ユーザへの利便性を向上させることができる情報処理装置、情報処理方法およびプログラムを提供することを目的とする。
【課題を解決するための手段】
【０００６】
実施形態の情報処理装置は、受信部と、送信部と、を備える。受信部は、複数のコンテンツのうち第１コンテンツに対する所定の処理の実行を指示する指示信号を、ネットワークを介して接続された外部機器から受信する。送信部は、所定のネットワークセグメント外の第１の外部機器からの指示信号に応じて第１コンテンツに対する所定の処理を実行している際に第２の外部機器からアクセスを受けた場合、第２の外部機器が所定のネットワークセグメント外の外部機器ならば第２の外部機器からのアクセスに応じた第１コンテンツへの所定の処理の実行の制限を識別可能とする所定の情報を第２の外部機器に送信し、第２の外部機器が所定のネットワークセグメント内の外部機器ならば所定の情報を送信しない。
【図面の簡単な説明】
【０００７】
【図１】図１は、本実施形態にかかる情報処理装置の一例である録画再生装置のハードウェア構成を示す図である。
【図２】図２は、本実施形態にかかる録画再生装置の基本的な動作を説明するための図である。
【図３】図３は、本実施形態にかかる録画再生装置により表示される再生リスト画面の一例を示す図である。
【図４】図４は、本実施形態にかかる録画再生装置による制限表示処理を説明するための図である。
【図５】図５は、本実施形態にかかる録画再生装置により表示される再生リスト画面の他の例を示す図である。
【図６】図６は、本実施形態にかかる録画再生装置による映像表示装置に対する制限表示処理の流れを示すフローチャートである。
【図７】図７は、本実施形態にかかる録画再生装置の基本的な動作を説明するための図である。
【図８】図８は、本実施形態にかかる録画再生装置による再生装置に対する制限表示処理の流れを示すフローチャートである。
【発明を実施するための形態】
【０００８】
以下、添付の図面を用いて、本実施形態にかかる情報処理装置、情報処理方法およびプログラムについて説明する。
【０００９】
図１は、本実施形態にかかる情報処理装置の一例である録画再生装置のハードウェア構成を示す図である。本実施形態にかかる録画再生装置１は、図１に示すように、ＣＰＵ（Central  Processing  Unit）１０１と、リモコン受信部１０２と、ネットワーク部１０３と、記憶部１０４と、記録部１０５と、エンコード部１０６と、デコード部１０７と、映像出力部１０８と、チューナ部１０９と、送信制御部１１０と、を有している。
【００１０】
ＣＰＵ１０１は、録画再生装置１全体を制御する。また、ＣＰＵ１０１は、動画コンテンツ等のコンテンツの暗号化に関する処理を行う。リモコン受信部１０２は、録画再生装置１を操作するために利用するリモートコントローラ等のユーザインターフェースからの操作信号を受信する。ネットワーク部１０３は、インターネットやホームネットワーク等のネットワークＮＷ（図２参照）を介して接続された外部機器の一例である再生装置４（図２参照）と通信可能な通信部である。
【００１１】
記憶部１０４は、ＣＰＵ１０１により実行される各種プログラム等を記憶するＲＯＭ（Read  Only  Memory）やＣＰＵ１０１の作業領域として用いられるＲＡＭ（Random  Access  Memory）等により構成される。記録部１０５は、ＨＤＤ（Hard  Disk  Drive）等により構成され、動画コンテンツ等の複数のコンテンツを記憶可能である。エンコード部１０６は、外部機器の一例である再生装置４（図２参照）に送信するコンテンツを暗号化する。デコード部１０７は、後述するチューナにより受信したコンテンツを復号化する。映像出力部１０８は、映像表示装置２（図２参照）に映像を表示するための各種情報を出力する。チューナ部１０９は、伝送路を介して動画コンテンツ等のコンテンツを受信する。
【００１２】
送信制御部１１０は、再生装置４（図２参照）に対して動画コンテンツ等のコンテンツを送信する。具体的には、送信制御部１１０には、自宅外機器からのアクセス制御ルールに依存するが、一般的には、ＨＴＴＰ（Hypertext  Transfer  Protocol）サーバと同様のモジュールが用いられる。
【００１３】
ここでは、本実施形態にかかる情報処理装置を、コンテンツの録画および再生が可能なレコーダ等の録画再生装置１に適用した例について説明するため、当該録画再生装置１は表示装置を有していないが、本実施形態にかかる情報処理装置をデジタルテレビジョン等に適用した場合には、図１に示す録画再生装置１の構成に加えて、表示装置が追加される。
【００１４】
次に、図２を用いて、本実施形態にかかる録画再生装置１の基本的な動作について説明する。図２は、本実施形態にかかる録画再生装置の基本的な動作を説明するための図である。
【００１５】
本実施形態では、録画再生装置１は、図２に示すように、記録部１０５に記憶されたコンテンツをデコードした映像等を、外部表示装置である映像表示装置２に表示させる。本実施形態では、録画再生装置１がコンテンツの映像等を外部表示装置である映像表示装置２に表示させる例について説明するが、録画再生装置１が表示装置を備えるデジタルテレビジョン等である場合には、録画再生装置１は、自身が備える表示装置に対してコンテンツの映像等を表示させる。また、本実施形態では、コンテンツを記憶する記録部１０５が録画再生装置１に内蔵されている例について説明するが、これに限定するものではなく、ＵＳＢ（Universal  Serial  Bus）等によって接続された外部の記録部にコンテンツが記憶されていても良い。
【００１６】
また、本実施形態にかかる録画再生装置１は、図２に示すように、インターネットやホームネットワーク等のネットワークＮＷに接続されている。そして、本実施形態にかかる録画再生装置１は、図２に示すように、同じくネットワークＮＷに接続されている再生装置４（例えば、スマートフォン、タブレット端末、ノートＰＣなど）からアクセスされた場合に、記録部１０５に記憶されたコンテンツを再生装置４に送信する。再生装置４は、録画再生装置１から受信したコンテンツを再生して表示する。これにより、再生装置４のユーザは、録画再生装置１に記憶されたコンテンツを、再生装置４を利用して視聴することができる。
【００１７】
ところで、録画再生装置１に記憶されたコンテンツに対して、再生装置４における再生等の処理が実行されている場合、録画再生装置１は、記録部１０５に記憶されたコンテンツに対して実行可能な処理のうち、当該コンテンツの削除、移動等の少なくとも一部の処理を実行不可とする（言い換えると、禁止する）制限をかける。そこで、録画再生装置１は、記録部１０５に記憶されたコンテンツに対する少なくとも一部の処理を実行不可とする制限を識別可能とする制限情報を、映像表示装置２（または他の再生装置４）に表示させる制限表示処理を実行する。なお、録画再生装置１は、映像表示装置２に制限情報を表示させる場合、制限情報を映像表示装置２に表示させるためのＧＵＩ（本実施形態では、コンテンツのリストに制限情報を含めたＧＵＩ）を生成し、当該ＧＵＩの映像信号を映像表示装置２に出力する。一方、録画再生装置１は、他の再生装置４に対して制限情報を表示させる場合、当該他の再生装置４において制限情報を表示するためのＧＵＩ（本実施形態では、コンテンツのリストに制限情報を含めたＧＵＩ）を生成できるように、制限情報に関するＧＵＩ生成用情報を当該他の再生装置４に送信する。ここで、ＧＵＩ生成用情報は、例えば、各コンテンツに対して実行可能な処理（または、禁止された処理）と、当該コンテンツとを対応付けたデータ等である。若しくは、録画再生装置１は、映像表示装置２に制限情報を表示させる場合に、ＧＵＩ生成用情報を映像表示装置２に送信しても良い。また、録画再生装置１は、他の再生装置４に制限情報を表示させる場合、制限情報を当該他の再生装置４に表示させるためのＧＵＩの映像信号を当該他の再生装置４に送信しても良い。
【００１８】
次に、図３〜６を用いて、本実施形態にかかる録画再生装置１による映像表示装置２に対する制限表示処理について詳細に説明する。図３は、本実施形態にかかる録画再生装置により表示される再生リスト画面の一例を示す図である。図４は、本実施形態にかかる録画再生装置による制限表示処理を説明するための図である。図５は、本実施形態にかかる録画再生装置により表示される再生リスト画面の他の例を示す図である。図６は、本実施形態にかかる録画再生装置による映像表示装置に対する制限表示処理の流れを示すフローチャートである。
【００１９】
リモコン受信部１０２は、リモートコントローラ等のユーザインターフェースにおいて入力された、再生リストの表示を指示する信号の一例である再生リスト表示指示を受信する（ステップＳ６０１）。ここで、再生リストは、記録部１０５に記憶されたコンテンツのうち再生等の各種処理の対象となる複数のコンテンツ（以下、表示対象コンテンツと言う）のリストの一例である。
【００２０】
ＣＰＵ１０１は、リモコン受信部１０２によって再生リスト表示指示が受信されると、記録部１０５に記録されたコンテンツからの表示対象コンテンツの抽出を開始する（ステップＳ６０２）。ＣＰＵ１０１は、１つの表示対象コンテンツを抽出する度に、当該抽出した表示対象コンテンツを再生リストに表示するために必要な情報（以下、再生リスト用情報と言う）を取得する（ステップＳ６０４）。例えば、再生リスト用情報は、表示対象コンテンツのタイトルやサムネイル等、表示対象コンテンツを識別可能とする情報である。
【００２１】
次いで、ＣＰＵ１０１は、表示対象コンテンツの再生リスト用情報が取得されたか否かを判断する（ステップＳ６０５）。ＣＰＵ１０１は、全ての表示対象コンテンツの再生リスト用情報が揃うまで（ステップＳ６０５：Ｎｏ）、次の表示対象コンテンツの抽出を繰り返す（ステップＳ６０３）一方、ＣＰＵ１０１は、全ての表示対象コンテンツの再生リスト用情報を取得した場合（ステップＳ６０５：Ｙｅｓ）、取得した各表示対象コンテンツの再生リスト用情報を用いて、表示対象コンテンツのリストの一例である再生リストを含む再生リスト画面を映像表示装置２に表示させる（ステップＳ６０６）。
【００２２】
本実施形態では、ＣＰＵ１０１は、図３に示すように、再生リスト用情報を用いて、表示対象コンテンツそれぞれを識別可能とするコンテンツ情報３０４を含む再生リスト３００を生成する。コンテンツ情報３０４には、図３に示すように、再生対象コンテンツのタイトル３０１（例えば、「コンテンツＡ」）および当該再生対象コンテンツのサムネイル３０２等が含まれる。そして、ＣＰＵ１０１は、図３に示すように、映像出力部１０８を介して、生成した再生リスト３００を含む再生リスト画面を映像表示装置２に表示させる。
【００２３】
また、本実施形態では、ＣＰＵ１０１は、再生リスト３００に含まれるコンテンツ情報３０４のうち、各種処理（例えば、再生、削除、移動など）を実行するコンテンツのコンテンツ情報３０４を選択するための操作画像（本実施形態では、カーソル３０３）を再生リスト３００に含める。録画再生装置１のユーザは、図示しないリモートコントローラを用いて、処理対象とするコンテンツのコンテンツ情報３０４にカーソル３０３を移動させることにより、カーソル３０３を移動させたコンテンツ情報３０４に対応するコンテンツに対する処理の実行を指示する実行指示を入力することができる。ＣＰＵ１０１は、リモコン受信部１０２を介して実行指示が入力されると、記録部１０５に記憶されたコンテンツのうち、実行指示により処理の実行が指示されたコンテンツに対して各種処理を実行する。
【００２４】
図６に戻り、ＣＰＵ１０１は、再生リストに含めた表示対象コンテンツのうち、所定のネットワークセグメント外の外部機器の一例である再生装置４（以下、自宅外機器と言う）からネットワーク部１０３を用いて受信した処理指示信号に応じて所定の処理（例えば、自宅外機器において再生中等）を実行しているコンテンツである再生対象コンテンツ（第１コンテンツの一例）を抽出する（ステップＳ６０７）。ここで、処理指示信号は、表示対象コンテンツ（複数のコンテンツの一例）のうち一のコンテンツである再生対象コンテンツに対する所定の処理の実行を指示する信号である。また、所定のネットワークセグメントとは、複数の再生装置４による一つの再生対象コンテンツの同時再生が許容されるネットワークセグメントである。本実施形態では、所定のネットワークセグメントは、録画再生装置１が存在するホームネットワーク等のネットワークセグメント、すなわち、録画再生装置１がルータ３を介さずに通信可能なネットワークセグメントである。
【００２５】
本実施形態では、ＣＰＵ１０１は、再生装置４から受信した処理指示信号の送信元の再生装置４のＩＰアドレスに基づいて、当該送信元の再生装置４が自宅外機器であるか否かを判断する。そして、ＣＰＵ１０１は、送信元の再生装置４が自宅外機器であると判断した場合、当該自宅外機器から受信した処理指示信号に応じて所定の処理を実行しているコンテンツを再生対象コンテンツとして抽出する。
【００２６】
さらに、ＣＰＵ１０１は、自宅外機器から受信した処理指示信号が、自宅外機器における再生対象コンテンツの再生を指示する信号である場合、ネットワーク部１０３を用いて、所定時間毎に、抽出した再生対象コンテンツの自宅外機器において再生されている部分を示す情報である再生部分情報を取得する（ステップＳ６０８）。例えば、ＣＰＵ１０１は、再生対象コンテンツの自宅外機器において再生されている部分を示す所定の現在位置通知コマンドを、再生部分情報として受信する。または、ＣＰＵ１０１は、引数によって指定されたＵＲＬに対してＨＴＴＰ  ＧＥＴリクエストを発行することにより、自宅外機器から再生部分情報を受信しても良い。または、ＣＰＵ１０１は、記録部１０５に記憶された再生対象コンテンツのうち、自宅外機器に送信している部分を示す情報を再生部分情報として取得しても良い。
【００２７】
そして、ＣＰＵ１０１は、再生対象コンテンツを抽出した場合（言い換えると、再生装置４から受信した処理指示信号に応じてコンテンツに対して所定の処理を実行している場合）、当該再生対象コンテンツに対する処理の制限である第１制限（例えば、コンテンツの削除の禁止、フォルダ間等におけるコンテンツの移動の禁止など）を識別可能とする制限情報（以下、宅内制限情報と言う）を再生リスト画面に含める（ステップＳ６０９）。すなわち、ＣＰＵ１０１は、第１制限を識別可能とする宅内制限情報を映像表示装置２に表示させる。これにより、再生装置４からの処理指示信号に応じて再生対象コンテンツが処理されていることが可視化されるので、録画再生装置１を利用するユーザの利便性を向上させることができる。
【００２８】
本実施形態では、ＣＰＵ１０１は、自宅外機器から受信した機器制御信号に応じてコンテンツに対して各種処理（例えば、自宅外機器でのコンテンツの再生など）が実行されており、当該コンテンツに対する処理が制限されることを示す情報を、宅内制限情報として映像表示装置２に表示させる第１表示処理を実行可能である。
【００２９】
具体的には、ＣＰＵ１０１は、図３に示すように、再生リスト３００に含まれる表示対象コンテンツのコンテンツ情報３０４のうち、再生対象コンテンツのコンテンツ情報３０４の表示態様を、他のコンテンツ情報３０４の表示態様と異ならせることを、第１制限を示す情報として含む宅内制限情報を映像表示装置２に表示させる。例えば、ＣＰＵ１０１は、再生対象コンテンツ（例えば、タイトル３０１が「コンテンツＤ」のコンテンツ）のコンテンツ情報３０４を他のコンテンツ情報３０４とは薄い色で表示させる。すなわち、本実施形態では、ＣＰＵ１０１は、再生リスト３００と、第１制限を示す情報と、を含む情報を宅内制限情報とする。
【００３０】
その際、ＣＰＵ１０１は、再生対象コンテンツに対する処理が制限された理由を、第１制限を示す情報として含む宅内制限情報を映像表示装置２に表示させても良い。例えば、ＣＰＵ１０１は、図３に示すように、再生対象コンテンツのコンテンツ情報３０４近傍に、当該再生対象コンテンツが再生装置４から受信した処理指示信号に応じて各種処理を実行中であること示す処理実行情報３０５（例えば、「リモートアクセス中」など）を、第１制限を示す情報として映像表示装置２に表示させる。
【００３１】
また、ＣＰＵ１０１は、再生リスト３００を映像表示装置２に表示させている状態において、リモコン受信部１０２を介して、再生対象コンテンツ（タイトル３０１が「コンテンツＡ」のコンテンツ）に対する処理（例えば、移動）の実行を指示する実行指示が入力された場合に、図４に示すように、再生対象コンテンツに対する処理が実行できないことを示す情報であるエラー情報４０１を、第１制限を示す情報として映像表示装置２に表示させても良い。
【００３２】
本実施形態では、再生対象コンテンツに対する処理の実行を指示する実行指示も入力された場合、エラー情報４０１を再生リストに重畳して表示させているが、再生対象コンテンツのコンテンツ情報３０４に対してカーソル３０３を移動できないようにする等して、再生対象コンテンツに対する処理の実行を指示する実行指示の入力を禁止することによって、エラー情報４０１の表示処理を回避できるようにしても良い。
【００３３】
また、ＣＰＵ１０１は、例えば、コンテンツの削除の禁止またはフォルダ間等におけるコンテンツの移動の禁止などの第１制限を示すメッセージ，記号，マーク等を、第１制限を示す情報として映像表示装置２に表示させても良い。
【００３４】
または、ＣＰＵ１０１は、機器制御信号により指示された処理が、自宅外機器における再生対象コンテンツの再生である場合、自宅外機器における再生対象コンテンツの再生処理の実行状態を示す再生状態情報を、宅内制限情報として映像表示装置２に表示させる第２表示処理を実行可能である。これにより、録画再生装置２のユーザは、自宅外機器における再生対象コンテンツの再生状態を認識することができるので、今後のコンテンツに対する各種処理の計画や予測等を行うことができ、ユーザへの利便性を向上させることができる。
【００３５】
具体的には、ＣＰＵ１０１は、図５に示すように、自宅外機器における再生対象コンテンツの再生状態に関する再生状態情報５０１を、映像出力部１０８を介して映像表示装置２に表示させる。ここで、再生状態情報５０１には、図５に示すように、再生対象コンテンツの再生を実行している自宅外機器を識別可能とする機器情報５０２、自宅外機器における再生対象コンテンツの再生が開始されてからの経過時間を示す経過時間情報の一例である占有時間情報５０３、再生対象コンテンツの自宅外機器において再生されている部分を示す再生部分情報５０４（本実施形態では、再生対象コンテンツの再生時間）、再生対象コンテンツ全体の再生に要する時間を示す再生時間情報５０５等が含まれる。また、ＣＰＵ１０１は、図示しないが、再生対象コンテンツの再生を実行している自宅外機器のユーザを識別可能とする情報（例えば、ユーザ名など）を、再生状態情報５０１に含めても良い。
【００３６】
本実施形態では、ＣＰＵ１０１は、機器情報５０２、占有時間情報５０３、再生部分情報５０４、再生時間情報５０５およびユーザ情報を含む再生状態情報５０１を制限情報として映像表示装置２に表示させる例について説明したが、機器情報５０２、占有時間情報５０３、再生部分情報５０４、再生時間情報５０５およびユーザ情報のうち少なくとも１つを含む再生状態情報５０１を制限情報として映像表示装置２に表示させるものであれば、これに限定するものではない。
【００３７】
図６に戻り、ＣＰＵ１０１は、宅内制限情報を再生リスト画面に含めた後、リモコン受信部１０２によって、再生リストの表示以外の他の処理を指示する信号を受信して、割り込み処理が発生したか否かを判断する（ステップＳ６１０）。割り込み処理が発生していないと判断した場合（ステップＳ６１０：Ｎｏ）、ＣＰＵ１０１は、割り込み処理が発生していないと判断してから所定期間経過後（ステップＳ６１１：Ｙｅｓ）、ステップＳ６０７に戻り、再び、再生対象コンテンツの抽出を行う。一方、割り込み処理が発生したと判断した場合（ステップＳ６１０：Ｙｅｓ）、ＣＰＵ１０１は、受信した信号により指示された他の処理を実行する（ステップＳ６１２）。その後、ＣＰＵ１０１は、ステップＳ６０７に戻り、再び、再生対象コンテンツの抽出を行う。
【００３８】
次に、図７および図８を用いて、本実施形態にかかる録画再生装置１による再生装置４に対する制限表示処理について詳細に説明する。図７は、本実施形態にかかる録画再生装置の基本的な動作を説明するための図である。図８は、本実施形態にかかる録画再生装置による再生装置に対する制限表示処理の流れを示すフローチャートである。
【００３９】
図７に示すように、録画再生装置１に記録された一つの再生対象コンテンツに対して、一の再生装置４（自宅外機器）から受信した処理指示信号に応じた処理（例えば、再生装置４における再生対象コンテンツの再生など）が実行されている場合、再生装置５から受信した機器制御信号に応じて（言い換えると、再生装置５から受けたアクセスに応じて）実行される処理には、再生装置５における再生対象コンテンツの再生、削除、移動等の所定の処理を実行不可とする制限がかかる。ここで、機器制御信号は、録画再生装置１において実行される処理を制御するための信号である。そこで、録画再生装置１は、再生対象コンテンツに対する処理の制限を識別可能とする制限情報を、再生装置５に送信する制限送信処理を実行する。これにより、録画再生装置１は、制限情報を再生装置５が有する図示しない表示部に表示させる。
【００４０】
以下の説明は、ＣＰＵ１０１が、再生装置５からの機器制御信号に先立って、自宅外機器である再生装置４から受信した処理指示信号に応じて再生対象コンテンツに対する所定の処理を実行していることを前提とする。ここで、他の再生装置５は、再生装置４と同様、ネットワークＮＷを介して接続された外部機器の一例であり、例えば、スマートフォン、タブレット端末、ノートＰＣ等である。
【００４１】
ＣＰＵ１０１は、ネットワーク部１０３を用いて、再生装置５から機器制御信号を受信する（ステップＳ８０１）。次いで、ＣＰＵ１０１は、受信した機器制御信号の送信元の外部機器である再生装置５（すなわち、録画再生装置１に対してアクセスした機器）が所定のネットワークセグメント内の外部機器かを判断する。言い換えると、ＣＰＵ１０１は、受信した機器制御信号が、所定のネットワークセグメント以外の別のネットワークセグメントに存在する再生装置５から送信された信号であるか否かを判断する（ステップＳ８０２）。
【００４２】
受信した機器制御信号が所定のネットワークセグメント内に存在する再生装置５から送信された信号である場合（ステップＳ８０２：Ｎｏ）、すなわち、再生装置５が所定のネットワークセグメント内の外部機器である場合、ＣＰＵ１０１は、通常の宅内処理を実行する（ステップＳ８０３）。つまり、ＣＰＵ１０１は、再生装置５が所定のネットセグメント内の外部機器であり、かつ自宅外機器である再生装置４から受信した処理指示信号に応じて再生対象コンテンツに対する所定の処理を実行している場合、後述する宅外制限情報の送信を行わずに、通常の宅内処理を実行する。具体的には、ＣＰＵ１０１は、上述の宅内制限情報を再生装置５に送信する処理を、通常の宅内処理として実行する。なお、ＣＰＵ１０１は、再生対象コンテンツの削除，移動の禁止を示す宅内制限情報を再生装置５に送信するか、若しくは、再生対象コンテンツ以外のコンテンツについて削除，移動が可能であることを示す情報を宅内制限情報として再生装置５に送信する。これにより、再生装置５に対して、再生対象コンテンツの削除，移動の禁止など、再生対象コンテンツに対する処理の制限を認識させても良い。
【００４３】
本実施形態では、ＣＰＵ１０１は、自宅外機器である再生装置４から受信した処理指示信号に応じて再生対象コンテンツに対する処理を実行している場合に、通常の宅内処理を実行しているが、再生装置４が自宅外機器であるか否かに関わらず（すなわち、再生装置４が所定のネットワークセグメント内の外部機器であっても）、再生装置４から受信した処理指示信号に応じて再生対象コンテンツに対する処理を実行している場合には、通常の宅内処理を実行するものとする。
【００４４】
一方、受信した機器制御信号が別のネットワークセグメントに存在する再生装置５から送信された信号である場合（ステップＳ８０２：Ｙｅｓ）、すなわち、再生装置５が所定のネットワークセグメント外の外部機器（自宅外機器）である場合、ＣＰＵ１０１は、他の再生装置４から受信した処理指示信号に応じて再生対象コンテンツに対する処理が実行中であるか否かを判断する（ステップＳ８０４）。
【００４５】
ここで、他の再生装置４から受信した処理指示信号に応じて再生対象コンテンツに対する処理が実行されていないと判断した場合（ステップＳ８０４：Ｎｏ）、ＣＰＵ１０１は、通常の宅外処理を実行する（ステップＳ８０５）。この場合、再生装置４から受信した処理指示信号に応じて再生対象コンテンツに対する所定の処理が実行されていないため、ＣＰＵ１０１は、再生装置５から受信した機器制御信号に応じて再生対象コンテンツに対する処理（例えば、再生装置５に対する再生対象コンテンツの送信など）を実行する処理を通常の宅外処理として実行する。すなわち、ＣＰＵ１０１は、再生装置５からの受信した機器制御信号に従った（再生装置５からのアクセスに応じた）所定の処理の実行を制限しない。
【００４６】
一方、他の再生装置４から受信した処理指示信号に応じて再生対象コンテンツに対する所定の処理が実行されていると判断した場合（ステップＳ８０４：Ｙｅｓ）、すなわち、再生装置５が所定のネットワークセグメント外の自宅外機器でありかつ自宅外機器である再生装置４から受信した処理指示信号に応じて再生対象コンテンツに対する処理を実行している場合、ＣＰＵ１０１は、再生装置４から受信した処理指示信号に応じて処理を実行中の再生対象コンテンツを抽出する（ステップＳ８０６）。ここで、抽出した再生対象コンテンツが、再生装置５から受信した機器制御信号に応じて処理を実行する再生対象コンテンツとは異なる場合、ＣＰＵ１０１は、再生装置５から受信した機器制御信号に応じて再生対象コンテンツに対して処理を実行しても、当該抽出した再生対象コンテンツに対する処理の実行に影響がないため、通常の宅外処理を実行する。
【００４７】
抽出した再生対象コンテンツが、再生装置５から受信した機器制御信号に応じて処理を実行する再生対象コンテンツと同一である場合、ＣＰＵ１０１は、第１制限とは異なりかつ当該抽出した再生対象コンテンツに対する処理の制限である第２制限（例えば、再生装置５におけるコンテンツの再生の禁止、コンテンツの削除の禁止、フォルダ間等におけるコンテンツの移動の禁止など）を識別可能とする制限情報（以下、宅外制限情報と言う）を再生装置５に送信する処理を実行する。なお、ＣＰＵ１０１は、再生対象コンテンツの再生，削除，移動等の処理の禁止を示す宅外制限情報を再生装置５に送信しているが、これに限定するものではない。例えば、ＣＰＵ１０１は、再生対象コンテンツ以外のコンテンツについて再生，削除，移動等の処理が可能であることを示す情報を宅外制限情報として送信し、再生対象コンテンツについては処理が可能であることを示す情報を送信しないことにより、再生装置５に対して、再生対象コンテンツの再生，削除，移動等の処理が禁止されていることを認識させても良い。これにより、複数の再生装置４，５（自宅外機器）から、一の再生対象コンテンツに対する所定の処理の実行を指示する処理指示信号を受信した場合に、再生装置５において、再生装置４からの処理指示信号に応じて再生対象コンテンツに対する所定の処理が実行されていることを識別することができるので、再生装置５のユーザの利便性を向上させることができる。
【００４８】
本実施形態では、ＣＰＵ１０１は、再生装置４から受信した処理指示信号が、再生装置４における再生対象コンテンツの再生を指示する信号である場合、図６のステップＳ６０８と同様にして、再生部分情報を取得する（ステップＳ８０７）。さらに、ＣＰＵ１０１は、その他の宅外視聴情報を取得する（ステップＳ８０８）。ここで、宅外視聴情報は、再生装置４における再生対象コンテンツの再生状態を示す情報（上述した再生状態情報５０１）である。
【００４９】
そして、ＣＰＵ１０１は、再生装置５に対して、当該再生装置５から受信した機器制御信号により指示された再生対象コンテンツに対する処理が第２制限によって制限される期間があること、当該再生対象コンテンツに対する処理が制限される理由（例えば、ステップＳ８０７で取得した再生部分情報、ステップＳ８０８で取得した宅外視聴情報など）などを、宅外制限情報として再生装置５に送信する（ステップＳ８０９）。
【００５０】
本実施形態では、ＣＰＵ１０１は、第２制限によって再生対象コンテンツに対する処理が制限される期間があることや当該再生対象コンテンツに対する処理が制限される理由を宅外制限情報として再生装置５に送信しているが、第２制限を識別可能とする宅外制限情報を再生装置５に送信するものであれば、これに限定するものではない。例えば、ＣＰＵ１０１は、宅外制限情報として、例えば、再生装置５におけるコンテンツの再生の禁止、コンテンツの削除の禁止、フォルダ間等におけるコンテンツの移動の禁止など、第２制限を示すメッセージ、記号、マークなどを再生装置５に送信しても良い。
【００５１】
このように本実施形態にかかる録画再生装置１によれば、複数の自宅外機器から、一の再生対象コンテンツに対する所定の処理の実行を指示する処理指示信号を受信した場合に、一方の自宅外機器において、他方の自宅外機器からの処理指示信号に応じて再生対象コンテンツに対する所定の処理が実行されていることを識別することができるので、一方の自宅外機器のユーザの利便性を向上させることができる。
【００５２】
なお、本実施形態の録画再生装置１で実行されるプログラムは、ＲＯＭ等に予め組み込まれて提供されるが、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成しても良い。
【００５３】
さらに、本実施形態の録画再生装置１で実行されるプログラムを、インターネット等のネットワークに接続されたコンピュータ上に格納し、ネットワーク経由でダウンロードさせることにより提供するように構成しても良い。また、本実施形態の録画再生装置１で実行されるプログラムをインターネット等のネットワーク経由で提供または配布するように構成しても良い。
【００５４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００５５】
１  録画再生装置
２  映像表示装置
３  ルータ
４，５  再生装置
１０１  ＣＰＵ
１０２  リモコン受信部
１０３  ネットワーク部
１０４  記憶部
１０５  記録部
１０６  エンコード部
１０７  デコード部
１０８  映像出力部
１０９  チューナ部
１１０  送信制御部
ＮＷ  ネットワーク
【図１】
2016032215.tif 000003
【図２】
2016032215.tif 000004
【図３】
2016032215.tif 000005
【図４】
2016032215.tif 000006
【図５】
2016032215.tif 000007
【図６】
2016032215.tif 000008
【図７】
2016032215.tif 000009
【図８】
2016032215.tif 000010